(57)【要約】【課題】ＡＰＣと、ＰＤＰの温度変化に伴う輝度変化と、の少なくとも一方を考慮することにより、ＰＤＰの発光特性を十分に発揮させることを可能とする。【解決手段】ＰＣ４０は、ＰＤＰ表示装置１０の画面の略中央に画面全体の１％のサイズとなる白表示領域を表示させ、この白表示領域をカラーアナライザ２０にて撮像させて撮像された映像を構成するＲＧＢ各色成分の輝度を取得し、かつこの白表示領域の温度を温度センサ３０に測温させて温度情報を取得し、この温度情報に基づいてＲＧＢ各色成分の輝度を補正し、この補正後の各色成分の輝度比率が所定の白を示す比率となるように変更した調整値を半導体メモリ１５に設定する。【選択図】図５
2008172343.tif 000002
【特許請求の範囲】
【請求項１】
入力される映像信号に対してホワイトバランスを調整する為の調整値を不揮発性の半導体メモリに記憶し、該調整値を参照して上記映像信号にホワイトバランス調整を行い、ＡＰＣコントロールを行いつつ該ホワイトバランス調整の施された映像を所定の画面に表示するＰＤＰ表示装置と、
上記ＰＤＰ表示装置に上記調整値を設定する調整装置と、
を備えるＰＤＰ表示装置のホワイトバランス調整システムにおいて、
上記調整装置は、上記ＰＤＰ表示装置の画面を撮像してＲＧＢ各色の輝度情報を生成するカラーアナライザと、上記ＰＤＰ表示装置の画面温度を測温して温度情報を生成する温度センサと、上記輝度情報と上記温度情報とに基づいてホワイトバランスの調整値を生成して上記ＰＤＰ表示装置に設定する処理部と、を備えており、
上記処理部は、上記ＰＤＰ表示装置の画面の一部となる所定領域に白表示させる映像信号を上記ＰＤＰ表示装置に入力し、ＰＤＰ表示装置の画面において白表示された所定領域を上記カラーアナライザに撮像させて該撮像された映像を構成する各色成分の輝度情報を取得し、上記温度センサから上記所定領域の温度情報を取得して該温度情報に基づいて輝度変動量を算出し、上記カラーアナライザから取得した輝度情報を上記輝度変動量に基づいて補正し、上記撮像された映像を構成する色成分の輝度比率が所定比率となるように変更した調整値を上記半導体メモリに設定し、
上記所定領域は、該ホワイトバランス調整において、上記ＡＰＣコントロールが出力輝度を制限しないサイズであることを特徴とするホワイトバランス調整システム。
【請求項２】
入力される映像信号に対してホワイトバランスを調整する為の調整値を不揮発性の半導体メモリに記憶し、該調整値を参照して上記映像信号にホワイトバランス調整を行い、ＡＰＣコントロールを行いつつ該ホワイトバランス調整の施された映像を所定の画面に表示するＰＤＰ表示装置と、
上記ＰＤＰ表示装置に上記調整値を設定する調整装置と、
を備えるＰＤＰ表示装置のホワイトバランス調整システムにおいて、
上記調整装置は、上記ＰＤＰ表示装置の画面の一部となる所定領域に白表示させる映像信号を上記ＰＤＰ表示装置に入力する白映像入力手段と、上記白表示された所定領域を撮像して撮像された映像を構成する各色成分の輝度情報を取得する輝度取得手段と、上記撮像された映像を構成する色成分の輝度比率が所定比率となるように変更した調整値を上記半導体メモリに設定する調整値設定手段とを備えることを特徴とするホワイトバランス調整システム。
【請求項３】
上記所定領域の温度情報を取得して該温度情報に基づいて輝度変動量を算出する輝度変動算出手段と、
上記輝度取得手段が取得した輝度情報を上記輝度変動量に基づいて補正する輝度補正手段と、をさらに備えて、
上記調整値設定手段は、上記輝度補正手段が補正した後の色成分の輝度比率が所定比率となるように変更した調整値を設定することを特徴とする上記請求項２に記載のホワイトバランス調整システム。
【請求項４】
入力される映像信号に対してホワイトバランスを調整する為の調整値を不揮発性の半導体メモリに記憶し、該調整値を参照して上記映像信号にホワイトバランス調整を行い、該ホワイトバランス調整の施された映像を所定の画面に表示するＰＤＰ表示装置と、
上記ＰＤＰ表示装置に上記調整値を設定する調整装置と、
を備えるＰＤＰ表示装置のホワイトバランス調整システムにおいて、
上記調整装置は、上記ＰＤＰ表示装置の画面に白表示させる映像信号を上記ＰＤＰ表示装置に入力する白映像入力手段と、上記画面を撮像して撮像された映像を構成する各色成分の輝度情報を取得する輝度取得手段と、上記画面の温度情報を取得して該温度情報に基づいて輝度変動量を算出する輝度変動算出手段と、上記輝度取得手段が取得した輝度情報を上記輝度変動量に基づいて補正する輝度補正手段と、上記輝度補正手段が補正した後の色成分の輝度比率が所定比率となるように変更した調整値を上記半導体メモリに設定する調整値設定手段とを備えることを特徴とするホワイトバランス調整システム。
【請求項５】
上記所定領域は、該ホワイトバランス調整において、上記ＡＰＣコントロールが出力輝度を制限しないサイズであることを特徴とする上記請求項２〜請求項４の何れか一項に記載のホワイトバランス調整システム。
【請求項６】
上記所定領域は、上記ＰＤＰ表示装置の所定の画面において複数設定され、
上記白映像入力手段は、各所定領域に順に白表示させる映像信号を上記ＰＤＰ表示装置に入力することを特徴とする上記請求項２〜請求項５の何れか一項に記載のホワイトバランス調整システム。
【請求項７】
上記調整値設定手段は、上記複数の所定領域から取得したデータの平均に基づいて上記調整値を変更することを特徴とする上記請求項６に記載のホワイトバランス調整システム。
【請求項８】
上記調整値設定手段は、上記複数の所定領域から取得したデータに基づいて上記ＰＤＰ表示装置の画面中央の輝度が最大輝度となるように上記調整値を変更することを特徴とする上記請求項６に記載のホワイトバランス調整システム。
【請求項９】
入力される映像信号に対してホワイトバランスを調整する為の調整値を不揮発性の半導体メモリに記憶し、該調整値を参照して上記映像信号にホワイトバランス調整を行い、ＡＰＣコントロールを行いつつ該ホワイトバランス調整の施された映像を所定の画面に表示するＰＤＰ表示装置に対して、
調整装置がホワイトバランス調整を行うホワイトバランス調整方法において、
上記ＰＤＰ表示装置の画面の一部となる所定領域に白表示させる白表示工程と、
上記白表示された所定領域を撮像して撮像された映像を構成する各色成分の輝度情報を取得する輝度取得工程と、
上記撮像された映像を構成する色成分の輝度比率が所定比率となるように変更した調整値を上記半導体メモリに設定する調整値出力工程と
を備えることを特徴とするホワイトバランス調整方法。
【請求項１０】
入力される映像信号に対してホワイトバランスを調整する為の調整値を不揮発性の半導体メモリに記憶し、該調整値を参照して上記映像信号にホワイトバランス調整を行い、ＡＰＣコントロールを行いつつ該ホワイトバランス調整の施された映像を所定の画面に表示するＰＤＰ表示装置において、
上記の画面の一部となる所定領域に白表示する白映像表示手段と、
上記白表示された所定領域を撮像して撮像された映像を構成する各色成分の輝度情報を取得する輝度取得手段と、
上記撮像された映像を構成する色成分の輝度比率が所定比率となるように変更した調整値を上記半導体メモリに設定する調整値設定手段と
を備えることを特徴とするＰＤＰ表示装置。
【発明の詳細な説明】
【技術分野】
【０００１】
本発明は、ホワイトバランス調整システム、ホワイトバランス調整方法およびＰＤＰ表示装置に関する。
【背景技術】
【０００２】
従来、ＰＤＰ表示装置のホワイトバランス調整においては、画面全体に白表示を行い、表示輝度を最大輝度の２０％および７０％に設定し、この２つの表示輝度に基づく２点トラッキング法にてホワイトバランスの調整を行っていた。しかしながら、ＰＤＰ表示装置では、一般に映像信号の内容に対応して維持パルスの波数を自動調整して画面の輝度を調整する技術として、ＡＰＣ（Automatic Power Control）と呼ばれる技術が使用されている。このＡＰＣにより、ＰＤＰ表示装置で消費される電力が一定となるようにコントロールされる。
【０００３】
図９は、最大表示量のときに最大輝度の１５％程度まで輝度を低減させるようにＡＰＣを行った場合の例である。ここで表示量とは、表示量＝画素数×輝度、で表される量であり、ＡＰＣを適用すると、最大表示量＝ａ×一定電力（ａは定数）となるようにコントロールされる。図９の例では、最大表示量が０〜２０％（即ち出力が０〜２０％のとき）は最大出力輝度が１００％であるが、最大表示量が２０％を超える（即ち出力が２０％を超える）と次第に最大出力輝度が低下する。
【０００４】
即ち、画面全体に白表示させてホワイトバランス調整を行った場合、輝度を７０％に設定すると最大表示量は７０％であるため実際の出力輝度は２３％程になり、２０％輝度に設定すると最大表示量も２０％であるため実際の出力輝度は７５％程になる。よって、従来のホワイトバランス調整では、実質的には最大出力輝度の１５％と１６％の輝度でホワイトバランスの調整を行っていることになっていた。そのため、高輝度側のホワイトバランスの調整が取れず、ホワイトバランス調整を正確に行えていなかった。
【０００５】
また、ＰＤＰには、温度の上昇に伴って輝度が変化する特性もある。図１０は、ＰＤＰの輝度ｖｓ温度特性を示すグラフである。図１０に示すように、ＰＤＰ表示装置の表示が開始された時点での出力輝度を１００％とすると、時間経過とともにＰＤＰの温度（表面温度）が上昇し、出力輝度は時間経過とともに低下する。この出力輝度の低下は、ホワイトバランスの調整中であっても無論発生しており、この出力輝度の低下を考慮していなかった従来のホワイトバランス調整では、ホワイトバランスの調整が正しく行われない結果となっていた。
【０００６】
ところで、ＰＤＰ表示装置の時間経過に伴う輝度変化を考慮した技術として、次のようなものが知られている。即ち、特許文献１には、ＰＤＰを冷却するファンを備えさせ、ＰＤＰの表面温度を測定器で測定してこの表面温度が一定となるようにファンコントロールするプラズマディスプレイ表示装置について記載されている。
【０００７】
しかしながら、特許文献１の技術は、予め設定されたホワイトバランスが正しく反映されるようにするためにＰＤＰの温度を一定に保つための記述であり、ホワイトバランスを適正に設定するための技術ではない。
【特許文献１】特開平１０−２３２６４７号公報
【発明の開示】
【発明が解決しようとする課題】
【０００８】
以上、従来のＰＤＰ表示装置におけるホワイトバランスの調整では、ＡＰＣによる輝度変化、およびＰＤＰの温度変化に伴う輝度変化、の２点が考慮されておらず、ホワイトバランスの調整が正確に行われないという課題があった。また、特許文献１の技術は、ホワイトバランスの調整を行うための技術ではなかった。
【０００９】
本発明は、上記課題に鑑みてなされたもので、ＡＰＣと、ＰＤＰの温度変化に伴う輝度変化と、の少なくとも一方を考慮することにより、ＰＤＰの発光特性を十分に発揮させることを可能とするホワイトバランス調整システム、ホワイトバランス調整方法およびＰＤＰ表示装置を提供することを目的とする。
【課題を解決するための手段】
【００１０】
上記課題を解決するために、本発明のホワイトバランス調整システムでは、入力される映像信号に対してホワイトバランスを調整する為の調整値を不揮発性の半導体メモリに記憶し、該調整値を参照して上記映像信号にホワイトバランス調整を行い、ＡＰＣコントロールを行いつつ該ホワイトバランス調整の施された映像を所定の画面に表示するＰＤＰ表示装置と、上記ＰＤＰ表示装置に上記調整値を設定する調整装置と、を備えるＰＤＰ表示装置のホワイトバランス調整システムにおいて、上記調整装置は、上記ＰＤＰ表示装置の画面の一部となる所定領域に白表示させる映像信号を上記ＰＤＰ表示装置に入力する白映像入力手段と、上記白表示された所定領域を撮像して撮像された映像を構成する各色成分の輝度を取得する輝度取得手段と、上記撮像された映像を構成する色成分の輝度比率が所定比率となるように変更した調整値を上記半導体メモリに設定する調整値設定手段とを備える構成としてある。
上記構成において、上記白映像入力手段が上記ＰＤＰ表示装置の画面の一部となる所定領域に白表示させる映像信号を上記ＰＤＰ表示装置に入力し、上記輝度取得手段が上記白表示された所定領域を撮像して撮像された映像を構成する各色成分の輝度を取得し、上記調整値設定手段が上記撮像された映像を構成する色成分の輝度比率が所定比率となるように変更した調整値を上記半導体メモリに設定する。
即ち、画面の全体ではなく、画面の一部に白表示するため、表示量（表示量＝画素数×輝度）が少なくなり、ホワイトバランスの調整におけるＡＰＣコントロールによる出力輝度の制限を低減することが可能となる。よって、正確なホワイトバランスの調整が可能となる。
【００１１】
無論、上記所定領域は、ホワイトバランス調整において、ＡＰＣコントロールが出力輝度を制限しないサイズとするとより好適である。より具体的には、表示量がＡ％以下においてＡＰＣコントロールが働かないＰＤＰ表示装置であれば、ホワイトバランスの調整を輝度Ｂ％で行う場合、白表示するサイズを画面全体のサイズのＡ×１００／Ｂ％以下に設定すればよい。
【００１２】
そして、上記所定領域の温度情報を取得して該温度情報に基づいて輝度変動量を算出する輝度変動算出手段と、上記輝度取得手段が取得した輝度を上記輝度変動量に基づいて補正する輝度補正手段と、をさらに備えて、上記調整値設定手段は、上記輝度補正手段が補正した後の色成分の輝度比率が所定比率となるように変更した調整値を設定する構成としてもよい。
この構成において、上記輝度変動算出手段が上記所定領域の温度情報を取得して該温度情報に基づいて輝度変動量を算出し、上記輝度補正手段が上記輝度取得手段が取得した輝度を上記輝度変動量に基づいて補正し、上記調整値設定手段が上記輝度補正手段が補正した後の色成分の輝度比率が所定比率となるように変更した調整値を上記半導体メモリに設定する。このように温度に応じて輝度を補正することにより、より正確なホワイトバランスの調整が可能となる。
【００１３】
即ち、上記輝度取得手段が取得した各色成分の輝度をそのままホワイトバランスに使用するのではなく、温度情報に基づいて各色成分の輝度を補正する。より具体的には、白表示された所定領域の輝度がＢであり且つ温度がＴである場合、電源投入直後の輝度に対するいずれかの色成分の輝度変化率がＺ％であるとすると、補正後の輝度はＢ×１００／Ｚとなる。
【００１４】
さらに、上記所定領域は、上記ＰＤＰ表示装置の所定の画面において複数設定され、上記白映像入力手段は、各所定領域に順に白表示させる映像信号を上記ＰＤＰ表示装置に入力する構成としてもよい。
この構成において、所定領域を複数設定するため、ＰＤＰの発光セルの発光特性にバラツキが存在しても、画面全体の発光特性を反映したホワイトバランスを調整可能となり、発光特性のバラツキを吸収したホワイトバランスを設定可能となる。よってより正確なホワイトバランスの調整が可能となる。
【００１５】
さらに、複数の所定区画を設定する場合は、上記調整値設定手段は上記複数の所定領域から取得したデータの平均に基づいて上記調整値を変更する構成としてもよい。この構成によれば、画面全体の発光特性を反映したホワイトバランスの調整が可能となる。
【００１６】
また、複数の所定区画を設定する場合は、上記調整値設定手段は上記複数の所定領域から取得したデータに基づいて上記ＰＤＰ表示装置の画面中央の輝度が最大輝度となるように上記調整値を変更する構成としても無論構わない。この構成によれば、画面中央部の輝度が最大となるため、テレビ受像機として好適なホワイトバランスの調整が可能となる。
【００１７】
さらに、上述したホワイトバランス調整システムは、装置単体としても実現可能であり、また、必ずしも実体のある装置に限らず、その方法としても有効であることに相違はない。無論、このようなホワイトバランス調整システム、ＰＤＰ表示装置は単独で存在する場合もあるし、ある機器に組み込まれた状態で利用されることもあるなど、発明の思想としてはこれに限らず、各種の態様を含むものである。
【発明の効果】
【００１８】
以上説明したように本発明によれば、正確なホワイトバランスの調整が可能なＰＤＰ表示装置のホワイトバランス調整システムを提供することができる。
また請求項３にかかる発明によれば、より正確なホワイトバランスの調整が可能となる。
そして請求項４にかかる発明によれば、より正確なホワイトバランスの調整が可能となる。
さらに請求項５にかかる発明によれば、より正確なホワイトバランスの調整が可能となる。
また請求項６にかかる発明によれば、より正確なホワイトバランスの調整が可能となる。
そして請求項７にかかる発明によれば、より正確なホワイトバランスの調整が可能となる。
また請求項８にかかる発明によれば、テレビ受像機として好適なホワイトバランスの調整が可能となる。
さらに請求項１のような、より具体的な構成において、上述した請求項２〜請求項８の各発明と同様の作用を奏することはいうまでもない。
【発明を実施するための最良の形態】
【００１９】
以下、下記の順序に従って本発明の実施形態を説明する。
（１）ホワイトバランス調整システムの構成：
（２）ホワイトバランス調整処理：
（３）ホワイトバランス調整処理の変形例：
（４）まとめ：
【００２０】
（１）ホワイトバランス調整システムの構成： 
本発明の実施形態にかかるＰＤＰ表示装置のホワイトバランス調整システムについて図１〜図８を参照して説明する。無論、ＰＤＰ表示装置としては、チューナ機能を備えるプラズマテレビジョンであっても良い。
図１はＰＤＰ表示装置のホワイトバランス調整システム１００の概略構成を示すシステム構成図である。本発明のホワイトバランス調整システム１００は、ホワイトバランスの調整対象であるＰＤＰ表示装置１０と、カラーアナライザ２０と、温度センサ３０と、ＰＣ（Personal Computer）４０とから構成される。ＰＤＰ表示装置１０は、所定のケーブルＣ１を介してＰＣ４０に接続されるとともに、別の所定のケーブルＣ２を介してもＰＣ４０に接続されている。
【００２１】
カラーアナライザ２０は、ＰＤＰ表示装置１０の画面を撮像してＲＧＢ各色の輝度値（輝度情報）を出力する。温度センサ３０は、ＰＤＰ表示装置１０の画面の温度を測定して温度情報を出力する。ＰＣ４０は、カラーアナライザ２０から輝度値を取得するとともに温度センサ３０から温度情報を取得し、取得した輝度値と温度情報とに基づいてＰＤＰ表示装置１０にホワイトバランスの調整値を設定する。
【００２２】
図２はカラーアナライザ２０の構成を示すブロック図、図３はＰＤＰ表示装置１０の構成を示すブロック図。図４はＰＣ４０の構成を示すブロック図である。
【００２３】
カラーアナライザ２０は、光学系として、ＣＣＤ撮像素子２１、このＣＣＤ撮像素子２１を接続したコントローラ２２ａやレンズ制御系２２ｂ等を備えている。また、制御系として、内部のバスに接続されたＣＰＵやＲＯＭやＲＡＭやＩ／Ｏポート等を備えるマイコン２３ａ、コントローラ２２ａに接続されるとともにＣＣＤ撮像素子２１を接続したアナログ／デジタル変換回路（Ａ／Ｄ変換回路）２３ｂ、所定のケーブルＣ２を接続したインターフェイス（Ｉ／Ｆ）２３ｃ、等が、システムバス２０ａに接続されている。
【００２４】
マイコン２３ａのＩ／Ｏポートにはコントローラ２２ａが接続されており、マイコン２３ａはコントローラ２２ａの動作を制御しながらシステムバス２０ａを介してＡ／Ｄ変換回路２３ｂからデジタルの輝度値（測定値）を読み込んでＩ／Ｆ２３ｃから外部に出力することが可能である。このＩ／Ｆ２３ｃにケーブルＣ３を介してＰＣ４０が接続されている。
【００２５】
以上の構成により、ＣＣＤ撮像素子を有するカラーアナライザ２０は、ＰＣ４０からの撮像指示を表す信号が入力されると、ＰＤＰ表示装置１０の画面の所定領域（後述する白表示領域）を撮像し、ＣＣＤ撮像素子２１にてＣＣＤ撮像素子別に輝度を対応する電圧として検出し、Ａ／Ｄ変換回路２３ｂが検出した電圧に対応するデジタルの電圧値（０〜２５５の２５６階調）に変換し、変換後の電圧値を輝度値として検出する。そして、カラーアナライザ２０は、Ｉ／Ｆ２３ｃ、ケーブルＣ３を介してＰＣ４０に対して、検出した輝度値を出力する。
【００２６】
温度センサ３０としては、温度変化に反応する素子３０ａが接続されており、温度変化に応じた電圧を出力可能になっている。温度センサ３０は、カラーアナライザ２０と同じくＰＣ４０のＩ／Ｏボード４０ｊに接続されており、温度変化に応じた信号をＰＣ４０に出力可能になっている。ホワイトバランス調整時には、温度センサ３０の素子３０ａが所定領域の画面温度を測温する。温度変化に反応する素子３０ａとしては、熱電対のように熱の変化に応じて起電力を発生するものや、サーミスタのように熱の変化に応じて抵抗値が変化するもの、白金測温抵抗体のように金属の抵抗をはかって温度を求めるもの、非接触式の放射温度計、等が使用可能である。
【００２７】
ＰＤＰ表示装置１０は、映像信号入力端子１８と、ＲＧＢ信号生成回路１１と、ＲＧＢ信号処理回路１２と、同期分離回路１３と、駆動回路１７と、マイコン１４と、不揮発性の半導体メモリ１５と、ＰＤＰ１９と、から構成されている。ＩＩＣバス１６には、ＩＩＣバスデータポート１６ａ、マイコン１４、半導体メモリ１５、ＲＧＢ信号生成回路１１、ＲＧＢ信号処理回路１２、等が接続されている。これらの回路は互いにＩＩＣバス１６を介して接続され、シリアルデータを送受信する。
【００２８】
同期分離回路１３は、復号映像信号から同期信号を分離し、発振回路ＣＬＫ２のクロック信号にタイミングを合わせてタイミング信号を生成し、ＩＩＣバス１６を介してＰＤＰ表示装置１０の各部にタイミング信号を供給し、ＰＤＰ表示装置１０内で処理される信号を同期させる。
【００２９】
ＲＧＢ信号生成回路１１は、映像信号入力端子１８を介して入力された復合映像信号から、赤色（Ｒ）、緑色（Ｇ）、青色（Ｂ）から成る原色映像信号を生成してＲＧＢ信号処理回路１２に出力する。映像信号入力端子としては、コンポジット端子や、コンポーネント端子等の映像信号を入力可能な端子である。
【００３０】
ＲＧＢ信号処理回路１２は、マイコン１４の制御に従って所定の処理を行う。ＲＡＭからなるメモリ１２ｅは、各部１２ａ〜１２ｄに接続されており、ホワイトバランス調整用の調整値等、画質調整用のデータを保持するとともに、１画面分のＲＧＢ信号からなる映像データを格納するフレームメモリとしても機能する。
【００３１】
スケーラとも呼ばれる画素数変換回路１２ａは、入力されたＲＧＢ信号に対してＰＤＰ１９の画素数に合わせて画素数を変換する所定のスケーリング処理を行い、タイミング信号にタイミングを合わせて、画素数変換後のＲＧＢ信号をメモリ１２ｅに書き込む。
【００３２】
画質調整回路１２ｂは、メモリ１２ｅから色別に各画素の階調値を順次参照し、画素数変換後のＲＧＢ信号を構成する階調値に対して、ホワイトバランス、輪郭補正、ＯＳＤ信号の重畳、彩度補正、等の調整処理を行う。
【００３３】
γ補正回路１２ｃは、上記調整処理後のＲＧＢ信号に対してガンマ補正を行い、ＰＤＰ表示装置１０の表示のガンマ特性を補償する。
【００３４】
輝度・コントラスト調整回路１２ｄは、メモリ１２ｅに格納されている色別の画素別に階調値で表現されるガンマ補正後の映像データに対して輝度調整、コントラスト調整の処理を行い、制御回路１７ａに対して出力する。
【００３５】
マイコン１４は、内部のバスに接続されたＣＰＵ、ＲＯＭ、ＲＡＭ、複数のＩ／Ｏポート、図示しないタイマ回路、等を備えており、ＣＰＵがＲＯＭや半導体メモリ１５に書き込まれた内部回路制御用のプログラムに従ってＰＤＰ表示装置１０全体を制御することにより、ＰＤＰ表示装置１０としての機能を実現している。
【００３６】
半導体メモリ１５には、ＰＤＰ表示装置１０の表示におけるホワイトバランスの調整を行う際に参照するＲＧＢ各色の調整値に対応する情報が格納される。無論この情報としては、ＲＧＢ各色の調整値を表すものであってもよいし、ＣＭＹ（シアン、マゼンダ、イエロー）の調整値を表すものであっても良いし、特定の色を表すための色の混合比を示すものであればいかなるものであってもよい。
【００３７】
駆動回路１７は、制御回路１７ａと、画素データ発生回路１７ｂと、行電極駆動回路１７ｃとから構成されている。画素データ発生回路１７ｂと行電極駆動回路１７ｃは、ＰＤＰ１９の列電極と行電極とにそれぞれ接続しており、列電極と行電極で特定される各画素に電圧を印加する。
【００３８】
制御回路１７ａは、タイミング信号に基づいてＲＧＢ信号処理回路１２を時分割した信号（画素データ信号）を出力する。画素データ発生回路１７ｂは、制御回路１７ａから出力される画素データ信号に基づいて、ＰＤＰ１９の列電極を駆動する。行電極駆動回路１７ｃは、タイミング信号を基にＰＤＰ１９の行電極を制御する。
【００３９】
即ち、画素データ発生回路１７ｂにて生成された列駆動電圧が、制御回路１７ａから出力される水平同期信号に同期して各列電極に印加され、次いで、行電極駆動回路１７ｃは生成した走査パルスを垂直同期信号に同期して、各行電極に印加する。
ＰＣ（調整用コンピュータ）４０は、図４に示すように、バス４０ｋに、ＣＰＵ４０ａ、ＲＯＭ４０ｂ、ＲＡＭ４０ｃ、ディスプレイドライバ（ＤＳＰＤＲＶ）４０ｄ、ハードディスクドライブ（ＨＤＤ）４０ｅ、入力Ｉ／Ｆ４０ｆ、Ｉ／Ｏポート４０ｇ、通信ポート４０ｈ、Ｉ／Ｏボード４０ｊ、映像信号出力端子４０ｉ等が接続されている。
【００４０】
通信ポート４０ｈは、例えば、ＬＰＴポートやＲＳ−２３２ポートやＣＯＭポート等を利用することができる。ＤＳＰＤＲＶ４０ｄにはディスプレイ４１ｄ１が接続され、入力Ｉ／Ｆ４０ｆにはキーボード４０ｆ１とマウス４０ｆ２が接続されている。通信ポート４０ｈにはケーブルＣ１を介してＰＤＰ表示装置１０のＩＩＣバスデータポート１６ａが接続され、Ｉ／Ｏボード４０ｊにはケーブルＣ３を介してカラーアナライザ２０が接続されている。映像信号出力端子４０ｉにはケーブルＣ２を介してＰＤＰ表示装置１０の映像信号入力端子１８が接続されている。
【００４１】
ＣＰＵ４０ａは、ＲＡＭ４０ｃをワークエリアとして使用しながらＲＯＭ４０ｂに書き込まれた所定の制御プログラムを実行する。ＨＤＤ４０ｅにはホワイトバランス調整用の調整値を決定してＰＤＰ表示装置１０に記憶させる処理を行うアプリケーションプログラム（ＡＰＬ）や基準映像信号を生成させるＡＰＬや理想のＲＧＢ色バランスが記憶されており、適宜ＲＡＭに読み出されてＡＰＬが実行される。
【００４２】
以上のハードウェアに基づいて、ＰＣ４０は、ＰＤＰ表示装置１０の画面に白色のテストパターンを表示させるとともに、映し出されたテストパターンをカラーアナライザ２０に測色させ、かつＰＤＰ１９の表面温度を温度センサ３０に測定させ、これら測色と測定の結果に応じてホワイトバランスを調整するための調整値をＰＤＰ表示装置１０に設定する処理を行う。
【００４３】
なお、ＰＣ４０には、デスクトップ型、ノート型、モバイル対応等種々のＰＣを採用可能であるが、ＰＣ以外の専用のコンピュータであっても採用可能である。これらＰＣ４０、カラーアナライザ２０および温度センサ３０がＰＤＰ表示装置にホワイトバランスの調整値を設定する調整装置を構成する。
【００４４】
（２）ホワイトバランス調整処理： 
以下、図５のフローチャートを参照してＰＤＰ表示装置１０のホワイトバランス調整を行うＣＰＵ４１ａの処理を説明する。図５にはＰＤＰ表示装置の処理と、ＰＣ４０の処理とを記載してあり、ステップＳ１１０〜Ｓ１３４の処理がＡＰＬを実行するＰＣ４０の処理、ステップＳ２１０〜Ｓ２２４の処理がＰＤＰ表示装置１０の実行する処理を示す。以下の記載において、“ステップ”を省略して記載する。
【００４５】
本実施形態にで行うホワイトバランスの調整は、輝度２３％と輝度７０％でそれぞれホワイトバランス調整を行い、これら２点間の直線近時により間の輝度におけるホワイトバランス調整を補完する二点トラッキング法を採用した例について説明するが、無論、従来知られた様々なホワイトバランス調整法に本発明を適用可能しても構わない。
【００４６】
本実施形態においては、カラーアナライザ２０と温度センサ３０とを接続されたＰＣ４０がＰＤＰ表示装置１０のホワイトバランス調整を行う構成としてあるが、これらを内部に備えたＰＤＰ表示装置１０単体として実現されても無論構わない。ＰＤＰ表示装置１０単体でホワイトバランス調整を可能にする場合は、ホワイトバランス調整のためのプログラムはマイコン１４のＲＯＭや半導体メモリ１５に記憶され、カラーアナライザや温度センサもＰＤＰ表示装置１０の内部に備えられるものとする。
【００４７】
このホワイトバランス調整は、ＰＤＰ表示装置１０の最終調整工程において行われる。その際、半導体メモリ１５には、ホワイトバランス調整値の初期値が予め記憶された（Ｓ２１０）上で本処理が行われる。そして、工場の作業者がホワイトバランス調整を行うＰＤＰ表示装置１０の電源を投入して所定の操作を行うと、ＰＤＰ表示装置１０がホワイトバランス調整モードへ移行する（Ｓ２１２）。
【００４８】
すると、ＰＤＰ表示装置１０は、ＩＩＣバスデータポート１６ａを介してメモリ１２ｅや半導体メモリ１５の書換が可能な状態となる。この調整モードにおいても、ＰＤＰ表示装置１０は、映像信号入力端子１８から映像信号が入力されると、入力された映像信号に対応する映像を画面に表示する。そして、作業者がＰＣ４０のデータ通信ポートとＩＩＣバスデータポート１６ａの接続と、ＰＣ４０の映像信号出力端子と映像信号入力端子１８の接続を行う。これによりＰＣ４０は、ＩＩＣバスデータポート１６ａを介してＩＩＣバス１６に接続可能となり、半導体メモリ１５やメモリ１２ｅにアクセスして書換可能となる。
【００４９】
上記のようにホワイトバランス調整の準備が整うと、ＰＣ４０が表示輝度を最大輝度の２３％とした白映像を映像信号として映像信号出力端子から出力する（Ｓ１１０）。すると、ＰＤＰ表示装置１０の映像信号入力端子１８に映像信号が入力され、入力した映像信号に対応する映像がＰＤＰ１９に表示される（Ｓ２１４）。
【００５０】
Ｓ２１４でＰＣ４０が出力する白映像の映像信号は、ＰＤＰの画面の一部の所定領域に白表示させつつそれ以外の領域に黒表示させる映像信号である。図６に、白映像の映像信号によりＰＤＰ１９に表示される映像の一例を示す。同図に示すように、ＰＣ４０の出力する映像信号は、ＰＤＰ１９の略中央部において、縦横共にＰＤＰ１９の画面サイズの１／１０（ＰＤＰ１９の画面サイズの１％）の白表示領域と、白表示以外の部位が黒表示領域（表示無し）となる映像信号である。
【００５１】
即ち、黒表示領域では輝度が０であり、白表示領域のみで輝度が存在するため、全画面に白表示した場合に比べて表示量は１／１００となる。例えば、図９のようなＡＰＣ特性を有するＰＤＰであれば、白表示領域の輝度を最大輝度で表示しても表示量は１％にしかならず、ＡＰＣコントロールが働かない。よってこのように白表示領域を所定サイズ（ＡＰＣコントロールが出力輝度を制限しない表示量となるサイズ）に狭めると、出力輝度を０〜１００％（フル）で変化させることが可能になる。
【００５２】
このとき、カラーアナライザ２０は、ＰＤＰ１９の画面のうち白表示された部位を撮像しており、この撮像した映像を構成するＲＧＢ各色の輝度値を検出し、検出した輝度値に対応する電圧信号を生成する。ＰＣ４０はケーブルＣ３を介してこの輝度値に対応する電圧信号を取得し、ＲＡＭ４０ｃに初期輝度として一旦保存する（Ｓ１１２）。
【００５３】
また、温度センサ３０もＰＤＰ１９の画面のうち白表示領域の温度を測温しており、この測温した温度に対応する電圧信号を生成する。ＰＣ４０は、カラーアナライザ２０から輝度値に対応する電圧信号を取得するのとほぼ同時に、ケーブルＣ４を介してこの温度に対応する電圧信号を取得し、ＲＡＭ４０ｃに温度情報として一旦保存する（Ｓ１１４）。
【００５４】
ＰＣ４０のＡＰＬはＰＤＰ１９の温度変化に伴う輝度変化特性（図１０の特性に対応）をデータもしくはプログラム内のアルゴリズムとして保持しており、温度変化に伴う輝度変化特性に基づいてＳ１１２で取得した初期輝度を補正する。例えば、温度センサ３０で測定された温度がＴ１、カラーアナライザが撮像した輝度（初期輝度）がＢ、ＰＤＰ１９の特性としてＴ１における出力輝度が最大輝度のＸ％であれば、補正後の輝度Ｂ’は、Ｂ’＝Ｂ×１００／Ｘ、にて求められる。ＰＤＰの蛍光体では、温度変化に伴う輝度変化特性は各色で異なるため、輝度の補正も各色で異なる。
【００５５】
無論、必ずしもＰＤＰ１９の最大輝度に補正する必要は無く、例えば、一般的な視聴環境下においてＰＤＰ１９の温度が安定する温度の出力輝度に補正する構成としても構わない。また、ＰＤＰ１９の温度変化は時間経過にも相関を有するため、経過時間に基づいて温度変化を推測して補正を行っても構わない。このように温度変化に応じた輝度の補正を行うことにより、より正確なホワイトバランスの調整を行うことが可能となる。特に、図１０に示すように電源投入直後の温度変化（即ち、輝度変化）は大きいため、輝度２３％での測定時と輝度７０％での測定時とで出力輝度が変化している可能性は大きく、このような調整環境の変動による影響を低減することが可能になる。
【００５６】
ＰＣ４０はホワイトバランスが調整された場合のＲＧＢ各色の輝度値（目標値）をデータもしくはプログラム内のアルゴリズムとして保持しており、補正後の輝度と目標値とを比較し、その差が所定の許容範囲内であるか否かを判断する（Ｓ１１８）。この差が、許容範囲内であれば、条件成立としてＳ１２２に進み、許容範囲外であれば条件不成立としてＳ１２０に進む。
【００５７】
Ｓ１２２に進むと、ＰＣ４０は、補正した輝度が目標値の許容範囲内に収まるようにホワイトバランスの調整値を変更して生成する。そして、そして、変更した調整値を新たなホワイトバランスの調整値として、ケーブルＣ１とＩＩＣバス１６とを介してメモリ１２ｅに出力する（Ｓ１２０）。メモリ１２ｅは、出力された調整値を新たなホワイトバランスの調整値として記憶する（Ｓ２１６）。そしてＰＣ４０は、Ｓ１１０からの処理を繰り返す。
【００５８】
Ｓ１１８で条件成立となりＳ１２２に進むと、ＰＣ４０が表示輝度を最大輝度の７０％とした白映像の映像信号を映像信号出力端子から出力する（Ｓ１２２）。すると、ＰＤＰ表示装置１０の映像信号入力端子１８に映像信号が入力され、入力した映像信号に対応する映像がＰＤＰ１９に表示される（Ｓ２１８）。このＳ２１８でＰＣ４０が出力する白表示の映像信号は、Ｓ１１０と同様である。
【００５９】
カラーアナライザ２０は、ＰＤＰ１９の画面のうち白表示領域を撮像しており、この撮像した映像を構成するＲＧＢ各色の輝度値を検出し、検出した輝度値に対応する電圧信号を生成する。ＰＣ４０はケーブルＣ３を介してこの輝度値に対応する電圧信号を取得し、ＲＡＭ４０ｃに初期輝度として一旦保存する（Ｓ１２４）。
【００６０】
また、温度センサ３０もＰＤＰ１９の画面のうち白表示領域の温度を測温しており、この測温した温度に対応する電圧信号を生成する。ＰＣ４０は、カラーアナライザ２０から輝度値に対応する電圧信号を取得するのとほぼ同時に、ケーブルＣ４を介してこの温度に対応する電圧信号を取得し、ＲＡＭ４０ｃに温度情報として一旦保存する（Ｓ１２６）。
【００６１】
ＰＣ４０のＡＰＬはＰＤＰ１９の温度変化に伴う輝度変化特性（図１０の特性に対応）をデータもしくはプログラム内のアルゴリズムとして保持しており、温度変化に伴う輝度変化特性に基づいてＳ１２４で取得した初期輝度を補正する。この補正もＳ１１６と同様である。
【００６２】
ＰＣ４０はホワイトバランスが調整された場合のＲＧＢ各色の輝度値（目標値）をデータもしくはプログラム内のアルゴリズムとして保持しており、補正後の輝度と目標値とを比較し、その差が所定の許容範囲内であるか否かを判断する（Ｓ１３０）。この差が、許容範囲内であれば、条件成立としてＳ１３４に進み、許容範囲外であれば条件不成立としてＳ１３２に進む。
【００６３】
Ｓ１３２に進むと、ＰＣ４０は、補正した輝度が目標値の許容範囲内に収まるようにホワイトバランスの調整値を変更して生成する。そして、変更した調整値を新たなホワイトバランスの調整値として、ケーブルＣ１とＩＩＣバス１６とを介してメモリ１２ｅに出力する（Ｓ１３２）。メモリ１２ｅは、出力された調整値を新たなホワイトバランスの調整値として記憶する（Ｓ２２２）。そしてＰＣ４０は、Ｓ１２２からの処理を繰り返す。
【００６４】
そしてＳ１３０で条件成立となりＳ１３４に進むと、ＰＣ４０はＳ１１８およびＳ１３０で条件成立となったホワイトバランスの２３％輝度および７０％輝度でのホワイトバランス調整値に基づいて全輝度領域のホワイトバランス調整値を生成し、生成した調整値をケーブルＣ１とＩＩＣバス１６とを介して半導体メモリ１５に出力する（Ｓ１３４）。すると半導体メモリ１５は、入力された調整値を記憶する（Ｓ２２４）。
【００６５】
Ｓ１３４を終了するとＰＣ４０の処理は終了し、作業者がＰＤＰ表示装置１０に所定の操作を行うとＰＤＰ表示装置１０側のホワイトバランス調整処理も終了する
。
【００６６】
以上、Ｓ１１０およびＳ１２２を実行するＰＣ４０が、ＰＤＰ表示装置の画面の一部となる所定領域に白表示させる映像信号をＰＤＰ表示装置に入力する白映像入力手段を構成し、Ｓ１１２およびＳ１２４を実行するＰＣ４０が、白表示された所定領域を撮像して撮像された映像を構成する各色成分の輝度を取得する輝度取得手段を構成し、Ｓ１３４を実行するＰＣ４０が、撮像された映像を構成する色成分の輝度比率が所定比率となるように変更した調整値を出力する調整値設定手段を構成し、Ｓ１１４とＳ１１６、およびＳ１２６とＳ１２８を実行するＰＣ４０が、所定領域の温度情報を取得して該温度情報に基づいて輝度変動量を算出する輝度変動算出手段を構成し、Ｓ１１８とＳ１２０、およびＳ１３０とＳ１３２を実行するＰＣ４０が、輝度取得手段が取得した輝度を輝度変動量に基づいて補正する輝度補正手段を構成する。
【００６７】
以下、上記構成からなる本実施形態の動作を説明する。
ＰＤＰ表示装置１０は、コンベア等に載って所定間隔で作業者の前に流れてくる。すると作業者は、ＰＤＰ表示装置１０とＰＣ４０とをケーブルＣ１，Ｃ２にて接続し、カラーアナライザ２０と温度センサ３０とが白表示領域を撮像および測温可能にセットする。そして、作業者は、ＰＤＰ表示装置１０の電源を投入して所定の操作を行い、ＰＤＰ表示装置１０を調整モードに移行させる。次いで、ＰＣ４０のホワイトバランス調整用のＡＰＬを実行させるとホワイトバランス調整処理が開始される。
【００６８】
まず、ＰＤＰ表示装置１０の画面略中央には、画面サイズに対して１％程度のサイズに輝度２３％で白表示がなされる。するとカラーアナライザ２０がこの白表示領域のＲＧＢ各色の輝度を測定し、同時に温度センサ３０が白表示領域の温度を測定する。そしてカラーアナライザ２０から取得した輝度を、温度センサ３０から取得した温度情報に基づいて補正する。そして、補正後のホワイトバランスが取れるまでメモリ１２ｅの調整値を変更しつつ、撮像と測温と補正とを繰り返す。
【００６９】
輝度２３％でのホワイトバランスの調整が終了すると、次に、輝度７０％での白表示を行う。領域サイズは輝度２３％の場合と同様である。そして輝度２３％の場合と同様に撮像と測温と補正とに基づくメモリ１２ｅに対する調整値の設定を繰り返し輝度７０％でのホワイトバランスを取る。
【００７０】
そして輝度２３％の各色の調整値と、輝度７０％の各色の調整値とから、二点トラッキング法により全輝度領域のホワイトバランスの調整値を生成し、この生成した調整値を半導体メモリ１５に設定する。
【００７１】
半導体メモリ１５に対する調整値の設定が終了すると、作業者はＰＤＰ表示装置１０に所定の操作を行って調整モードを終了させ、ケーブルＣ１，Ｃ２をＰＤＰ表示装置１０から取り外す。
【００７２】
（３）ホワイトバランス調整処理の変形例： 
上述の白表示領域は、図８のように複数箇所形成されても良い。以下、図７のフローチャートを参照して、ＰＤＰ１９に白表示領域を複数箇所設定した場合の、変形例としてのホワイトバランス調整処理について説明する。なお、図７のホワイトバランス調整処理の変形例は、上述のホワイトバランス調整処理のＳ１３０とＳ１３４の間にＳ３１０〜Ｓ３１２が加わる点が異なる。従って、それ以外のステップは同一の符号を付すとともに、同一の処理を行うステップについては説明を省略する。
【００７３】
本変形例では、Ｓ１３０で条件成立となるとＳ３１０に進む。Ｓ３１０では、全ての白表示領域において、輝度２３％と輝度７０％での撮像と測温とホワイトバランス調整とが終了したか否かを判断する。即ち、本変形例では、画面略中央に白表示領域Ａを設定すると共に、画面左上に白表示領域Ｂ、画面左下に白表示領域Ｃ、画面右下に白表示領域Ｄ、画面右上に白表示領域Ｅを、それぞれ設定してあり、白表示領域Ａ〜Ｅのそれぞれについて輝度２３％と輝度７０％での撮像と測温とホワイトバランス調整を行う。白表示領域Ａ〜Ｅの全てについて輝度２３％と輝度７０％での撮像と測温とホワイトバランス調整が終了していれば条件成立としてＳ３１２に進み、終了していなければカラーアナライザ２０と温度センサ３０とを未測定の白表示領域を測定可能にセットしてＳ１１０からの処理を繰り返す。
【００７４】
Ｓ３１２では、Ｓ１１８とＳ１３０で条件成立となったときにメモリ１２ｅに設定していた白表示領域Ａ〜Ｅの各調整値（以下、調整値Ａ〜Ｅとする。）に基づいて、半導体メモリ１５に設定する調整値を決定する。具体的には、調整値Ａ〜Ｅの平均値を算出して、この平均値を最終的な調整値として採用する構成が考えられる。また、テレビ受像機であれば画面中央の輝度が高い方が好ましいため、画面中央の輝度が高くなるような調整値を採用してもよい。
【００７５】
そしてＳ１３４では、Ｓ３１２で決定された調整値に基づいて全輝度領域のホワイトバランス調整値を生成し、生成した調整値をケーブルＣ１とＩＩＣバス１６とを介して半導体メモリ１５に出力する。
【００７６】
以上のように、複数の白表示領域から取得した調整値に基づいて最終的な調整値を決定すると、ＰＤＰ１９の特定領域の特性に影響されない全体的なホワイトバランス調整が可能となる。
【００７７】
（４）まとめ： 
つまり、ＰＣ４０は、ＰＤＰ表示装置１０の画面の略中央に画面全体の１％のサイズとなる白表示領域を表示させ、この白表示領域をカラーアナライザ２０にて撮像させて撮像された映像を構成するＲＧＢ各色成分の輝度を取得し、かつこの白表示領域の温度を温度センサ３０に測温させて温度情報を取得し、この温度情報に基づいてＲＧＢ各色成分の輝度を補正し、この補正後の各色成分の輝度比率が所定の白を示す比率となるように変更した調整値を半導体メモリ１５に設定する。
【００７８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００７９】
【図１】ＰＤＰ表示装置のホワイトバランス調整システム１００の概略構成を示すシステム構成図である。
【図２】カラーアナライザ２０の構成を示すブロック図である。
【図３】ＰＤＰ表示装置１０の構成を示すブロック図である。
【図４】ＰＣ４０の構成を示すブロック図である。
【図５】ＰＤＰ表示装置の処理と、ＰＣ４０の処理と示したフローチャートである。
【図６】白映像の映像信号によりＰＤＰ１９に表示される映像の一例である。
【図７】ホワイトバランス調整処理の変形例を示すフローチャートである。
【図８】白表示が複数箇所形成された画面の一例である。
【図９】最大表示量のときに最大輝度の１５％程度まで輝度を低減させるようにＡＰＣを行った場合の例である。
【図１０】ＰＤＰの輝度ｖｓ温度特性を示すグラフである。
【符号の説明】
【００８０】
１０…ＰＤＰ表示装置、１１…ＲＧＢ信号生成回路、１２…ＲＧＢ信号処理回路、１２ａ…画素数変換回路、１２ｂ…画質調整回路、１２ｃ…γ補正回路、１２ｄ…輝度・コントラスト調整回路、１２ｅ…メモリ、１３…同期分離回路、１４…マイコン、１５…半導体メモリ、１６…ＩＩＣバス、１６ａ…ＩＩＣバスデータポート、１７…駆動回路、１７ａ…制御回路、１７ｂ…画素データ発生回路、１７ｃ…行電極駆動回路、１８…映像信号入力端子、２０…カラーアナライザ、２０ａ…システムバス、２１…ＣＣＤ撮像素子、２２ａ…コントローラ、２２ｂ…レンズ制御系、２３ａ…マイコン、２３ｂ…Ａ／Ｄ変換回路、２３ｃ…ＩＩ／Ｆ、３０…温度センサ、３０ａ…素子、４０…ＰＣ（調整用コンピュータ）、４０ａ…ＣＰＵ、４０ｄ…ディスプレイドライバ、４０ｅ…ハードディスクドライブ、４０ｆ…入力Ｉ／Ｆ、４０ｇ…Ｉ／Ｏポート、４０ｈ…通信ポート、４０ｉ…映像信号出力端子、４０ｊ…Ｉ／Ｏボード、４０ｋ…バス、４０ｆ１…キーボード、４０ｆ２…マウス、１００…ホワイトバランス調整システム、Ｃ１…ケーブル、Ｃ２…ケーブル、Ｃ３…ケーブル、Ｃ４…ケーブル
【図２】
2008172343.tif 000003
【図３】
2008172343.tif 000004
【図４】
2008172343.tif 000005
【図５】
2008172343.tif 000006
【図７】
2008172343.tif 000007
【図９】
2008172343.tif 000008
【図１０】
2008172343.tif 000009
【図１】
2008172343.tif 000010
【図６】
2008172343.tif 000011
【図８】
2008172343.tif 000012